(57)【特許請求の範囲】
【請求項１】
方形の底板、底板の一対の対辺から各々直立する方形の前壁及び方形の後壁、及び、底板の他の一対の対辺から各々直立する方形の右壁及び方形の左壁からなる４つの壁、並びに、後壁の上辺から曲折して延出して前壁の上辺に至る方形の天板からなる梱包容器であって、底板の内面に、底板に当接した状態から９０°まで曲折可能な折り目を介して９０°の角度まで折り立て可能で、折り立てた状態から底板に当接した状態に折り畳み可能なプラスチック段ボール製の中仕切り強化板が設けられており、内側に９０°まで折曲可能な複数の折り目を有するプラスチック段ボール製の１枚の梱包シートを各折り目で内側に折り曲げることにより組み立て可能で、かつ該梱包シートに展開可能な梱包容器。
【請求項２】
梱包シートの折り目の少なくとも１つが背面に１８０°まで折曲可能である請求項１記載の梱包容器。
【請求項３】
対向する２つの壁の各直立辺から各々曲折して延出し、隣接する壁の内面に当接する４つの内部フラップを有する請求項１又は２に記載の梱包容器。
【請求項４】
前壁及び後壁が底板の一対の対辺から曲折して延出しており、右壁及び左壁が底板の他の一対の対辺から曲折して延出している請求項１〜３いずれかに記載の梱包容器。
【請求項５】
天板の前端辺から曲折して延出して前壁外面に当接する前面フラップ、並びに、天板の前端辺に隣接する２辺から各々曲折して延出してそれぞれ右壁の外面及び左壁の外面に当接する右フラップ及び左フラップを有する請求項４記載の梱包容器。
【請求項６】
前面フラップと前壁とを前面フラップ内面及び前壁外面に接着した１対の面ファスナーで接合し、右フラップと右壁とを右フラップ内面及び右壁外面に接着した１対の面ファスナーで接合し、左フラップと左壁とを左フラップ内面及び左壁外面に接着した１対の面ファスナーで接合する請求項５記載の梱包容器。
【請求項７】
右壁及び左壁が、それぞれの外面に、凸部と、凸部に隣接する凹部からなる把手部を有し、右フラップ及び左フラップが把手部を露出させる窓を有する請求項６記載の梱包容器。
【請求項８】
天板から前面フラップが曲折して延出している折り目、及び、底板から後壁が曲折して延出している折り目が、背面に１８０°まで曲折可能な折り目である請求項６又は７記載の梱包容器。
【請求項９】
方形の底板、底板の一対の対辺から各々直立する方形の前壁及び方形の後壁、及び、底板の他の一対の対辺から各々直立する方形の右壁及び方形の左壁からなる４つの壁、並びに、後壁の上辺から曲折して延出して前壁の上辺に至る方形の天板を有し、内側に９０°まで折曲可能な複数の折り目を有するプラスチック段ボール製の１枚の梱包シートを各折り目で内側に折り曲げることにより組み立て可能で、かつ該梱包シートに展開可能な梱包容器であって、
前壁及び後壁が底板の一対の対辺から曲折して延出しており、右壁及び左壁が底板の他の一対の対辺から曲折して延出しており、
天板の前端辺から曲折して延出して前壁外面に当接する前面フラップ、並びに、天板の前端辺に隣接する２辺から各々曲折して延出してそれぞれ右壁の外面及び左壁の外面に当接する右フラップ及び左フラップを有し、
前面フラップと前壁とを前面フラップ内面及び前壁外面に接着した１対の面ファスナーで接合し、右フラップと右壁とを右フラップ内面及び右壁外面に接着した１対の面ファスナーで接合し、左フラップと左壁とを左フラップ内面及び左壁外面に接着した１対の面ファスナーで接合するものであり、
右壁及び左壁が、それぞれの外面に、凸部と、凸部に隣接する凹部からなる把手部を有し、右フラップ及び左フラップが把手部を露出させる窓を有する
梱包容器。
【請求項１０】
梱包シートの折り目の少なくとも１つが背面に１８０°まで折曲可能である請求項９記載の梱包容器。
【請求項１１】
対向する２つの壁の各直立辺から各々曲折して延出し、隣接する壁の内面に当接する４つの内部フラップを有する請求項９又は１０記載の梱包容器。
【請求項１２】
天板から前面フラップが曲折して延出している折り目、及び、底板から後壁が曲折して延出している折り目が、背面に１８０°まで曲折可能な折り目である請求項９〜１１いずれかに記載の梱包容器。
【請求項１３】
各折り目が、プラスチック段ボール製の梱包シートに加熱刃を押し当てることにより溶融成形されたＶ字断面を有する溝である請求項１〜１２いずれかに記載の梱包容器。
【請求項１４】
請求項１〜１３いずれかに記載の梱包容器を電子材料を梱包容器内に収容して組み立てることからなる電子材料の梱包方法。
【請求項１５】
請求項２又は１０記載の梱包容器を梱包シートに展開し、少なくとも１本の背面に１８０°まで曲折可能な折り目で梱包シートを背面に折り畳み、梱包シートの互いに当接する部分を面ファスナーで接合させて折り畳み状態を保持した状態で梱包容器を回収する梱包容器の回収方法。
【請求項１６】
請求項８記載の梱包容器を梱包シートに展開し、展開した梱包シートを天板と前面フラップとの間の折り目で背面に１８０°まで折り畳み、底板と後壁との間の折り目で背面に１８０°近くまで折り畳み、前面フラップに接着した前記面ファスナーと前壁に接着した前記面ファスナーとを接合させて折り畳み状態を保持した状態で梱包容器を回収する梱包容器の回収方法。
【請求項１７】
方形の底板、底板の一対の対辺から各々直立する方形の前壁及び方形の後壁、及び、底板の他の一対の対辺から各々直立する方形の右壁及び方形の左壁からなる４つの壁、並びに、後壁の上辺から曲折して延出して前壁の上辺に至る方形の天板を有し、内側に９０°まで折曲可能な複数の折り目を有するプラスチック段ボール製の１枚の梱包シートを各折り目で内側に折り曲げることにより組み立て可能で、かつ該梱包シートに展開可能な梱包容器であって、
前壁及び後壁が底板の一対の対辺から曲折して延出しており、右壁及び左壁が底板の他の一対の対辺から曲折して延出しており、
天板の前端辺から曲折して延出して前壁外面に当接する前面フラップ、並びに、天板の前端辺に隣接する２辺から各々曲折して延出してそれぞれ右壁の外面及び左壁の外面に当接する右フラップ及び左フラップを有し、
前面フラップと前壁とを前面フラップ内面及び前壁外面に接着した１対の面ファスナーで接合し、右フラップと右壁とを右フラップ内面及び右壁外面に接着した１対の面ファスナーで接合し、左フラップと左壁とを左フラップ内面及び左壁外面に接着した１対の面ファスナーで接合するものであり、
天板から前面フラップが曲折して延出している折り目、及び、底板から後壁が曲折して延出している折り目が、背面に１８０°まで曲折可能な折り目である梱包容器を、
梱包シートに展開し、展開した梱包シートを天板と前面フラップとの間の折り目で背面に１８０°まで折り畳み、底板と後壁との間の折り目で背面に１８０°近くまで折り畳み、前面フラップに接着した前記面ファスナーと前壁に接着した前記面ファスナーとを接合させて折り畳み状態を保持した状態で梱包容器を回収する梱包容器の回収方法。
【請求項１８】
梱包容器が、対向する２つの壁の各直立辺から各々曲折して延出し、隣接する壁の内面に当接する４つの内部フラップを有し、右壁及び左壁が、それぞれの外面に、凸部と、凸部に隣接する凹部からなる把手部を有し、右フラップ及び左フラップが把手部を露出させる窓を有する請求項１７記載の梱包容器の回収方法。
【請求項１９】
方形の底板、底板の一対の対辺から各々直立する方形の前壁及び方形の後壁、及び、底板の他の一対の対辺から各々直立する方形の右壁及び方形の左壁からなる４つの壁、対向する２つの壁の各直立辺から各々曲折して延出し、隣接する壁の内面に当接する４つの内部フラップ、後壁の上辺から曲折して延出して前壁の上辺に至る方形の天板、天板の前端辺から垂下して前壁外面に当接する前面フラップ、並びに、天板の前端辺に隣接する２辺から各々垂下してそれぞれ右壁の外面及び左壁の外面に当接する右フラップ及び左フラップからなる梱包容器に組み立て可能であり、かつ、梱包容器からシート状に展開可能なプラスチック段ボール製の梱包シートであって、下記の面が内側に９０°まで折曲可能な折り目を介して一体に連接されている梱包シート：
（Ａ）底板となる方形の底板面であって、底板面上に、底板面に当接した状態から９０°まで曲折可能な折り目を介して９０°の角度まで折り立て可能で、折り立てた状態から底板面に当接した状態に折り畳み可能なプラスチック段ボール製の中仕切り強化板が設けられている底板面；
（Ｂ）一辺Ｂ１が折り目Ｘ１を介して底板面の一辺Ａ１と接合しており、前壁となる方形の前壁面；
（Ｃ）一辺Ｃ１が折り目Ｘ２を介して底板面の辺Ａ１の対辺Ａ２と接合しており、後壁となる方形の後壁面；
（Ｄ）一辺Ｄ１が折り目Ｘ３を介して底板面の辺Ａ１の隣接辺Ａ３と接合しており、右壁となる方形の右壁面；
（Ｅ）一辺Ｅ１が折り目Ｘ４を介して底板面の辺Ａ１の他の隣接辺Ａ４と接合しており、左壁となる方形の左壁面；
（Ｆａ、Ｆｂ、Ｆｃ、Ｆｄ）前壁面及び後壁面の各々の、又は、右壁面及び左壁面の各々の、底板面の辺と接合していない一対の対辺から、それぞれ折り目を介して延出しており、それぞれが内部フラップとなる４つの内部フラップ面；
（Ｇ）一辺Ｇ１が折り目Ｘ５を介して後壁面の辺Ｃ１の対辺Ｃ２と接合しており、天板となる方形の天板面；
（Ｈ）一辺Ｈ１が折り目Ｘ６を介して天板面の辺Ｇ１の対辺Ｇ２と接合しており、前面フラップとなる前面フラップ面；
（Ｉ）一辺Ｉ１が折り目Ｘ７を介して天板面の辺Ｇ１の隣接辺Ｇ３と接合しており、右フラップとなる右フラップ面；及び
（Ｊ）一辺Ｊ１が折り目Ｘ８を介して天板面の辺Ｇ１の他の隣接辺Ｇ４と接合しており、左フラップとなる左フラップ面。
【請求項２０】
右壁面及び左壁面が、それぞれの裏面に、凸部と、凸部に隣接する凹部からなる把手部を有し、右フラップ面及び左フラップ面のそれぞれが、梱包シートを梱包容器に組み立てた状態で、右壁外面の把手部及び左壁外面の把手部を露出させる窓を有する請求項１９記載の梱包シート。
【請求項２１】
方形の底板、底板の一対の対辺から各々直立する方形の前壁及び方形の後壁、及び、底板の他の一対の対辺から各々直立する方形の右壁及び方形の左壁からなる４つの壁、対向する２つの壁の各直立辺から各々曲折して延出し、隣接する壁の内面に当接する４つの内部フラップ、後壁の上辺から曲折して延出して前壁の上辺に至る方形の天板、天板の前端辺から垂下して前壁外面に当接する前面フラップ、並びに、天板の前端辺に隣接する２辺から各々垂下してそれぞれ右壁の外面及び左壁の外面に当接する右フラップ及び左フラップからなる梱包容器に組み立て可能であり、かつ、梱包容器からシート状に展開可能なプラスチック段ボール製の梱包シートであって、下記の面が内側に９０°まで折曲可能な折り目を介して一体に連接されている梱包シート：
（Ａ）底板となる方形の底板面；
（Ｂ）一辺Ｂ１が折り目Ｘ１を介して底板面の一辺Ａ１と接合しており、前壁となる方形の前壁面；
（Ｃ）一辺Ｃ１が折り目Ｘ２を介して底板面の辺Ａ１の対辺Ａ２と接合しており、後壁となる方形の後壁面；
（Ｄ）一辺Ｄ１が折り目Ｘ３を介して底板面の辺Ａ１の隣接辺Ａ３と接合しており、右壁となる方形の右壁面であって、裏面に、凸部と、凸部に隣接する凹部からなる把手部を有する右壁面；
（Ｅ）一辺Ｅ１が折り目Ｘ４を介して底板面の辺Ａ１の他の隣接辺Ａ４と接合しており、左壁となる方形の左壁面であって、裏面に、凸部と、凸部に隣接する凹部からなる把手部を有する左壁面；
（Ｆａ、Ｆｂ、Ｆｃ、Ｆｄ）前壁面及び後壁面の各々の、又は、右壁面及び左壁面の各々の、底板面の辺と接合していない一対の対辺から、それぞれ折り目を介して延出しており、それぞれが内部フラップとなる４つの内部フラップ面；
（Ｇ）一辺Ｇ１が折り目Ｘ５を介して後壁面の辺Ｃ１の対辺Ｃ２と接合しており、天板となる方形の天板面；
（Ｈ）一辺Ｈ１が折り目Ｘ６を介して天板面の辺Ｇ１の対辺Ｇ２と接合しており、前面フラップとなる前面フラップ面；
（Ｉ）一辺Ｉ１が折り目Ｘ７を介して天板面の辺Ｇ１の隣接辺Ｇ３と接合しており、右フラップとなる右フラップ面であって、梱包シートを梱包容器に組み立てた状態で、右壁外面の把手部を露出させる窓を有する右フラップ面；及び
（Ｊ）一辺Ｊ１が折り目Ｘ８を介して天板面の辺Ｇ１の他の隣接辺Ｇ４と接合しており、左フラップとなる左フラップ面であって、梱包シートを梱包容器に組み立てた状態で、左壁外面の把手部を露出させる窓を有する左フラップ面。
【請求項２２】
各折り目が、プラスチック段ボール製の梱包シート上面に加熱刃を押し当てることにより溶融成形されたＶ字断面を有する溝である請求項１９〜２１いずれかに記載の梱包シート。
【請求項２３】
梱包シートに設けられた少なくとも１本の折り目が背面に１８０°曲折可能である請求項１９〜２２いずれかに記載の梱包シート。
【請求項２４】
各内部フラップ面が方形である請求項１９〜２３いずれかに記載の梱包シート。
【請求項２５】
右フラップ面の辺Ｉ１とその対辺との間の幅が、梱包シートを梱包容器に組み立てたときに右フラップの下辺が右壁の外面下辺に達するような幅であり、左フラップ面の辺Ｊ１とその対辺との間の幅が、梱包シートを梱包容器に組み立てたときに左フラップの下辺が左壁の外面下辺に達するような幅である請求項１９〜２４いずれかに記載の梱包シート。
【請求項２６】
前面フラップ面上面及び前壁面裏面に前面フラップと前壁とを接合するための１対の面ファスナーが接着されており、右フラップ面上面及び右壁面裏面に右フラップと右壁とを接合するための１対の面ファスナーが接着されており、左フラップ面上面及び左壁面裏面に左フラップと左壁とを接合するための１対の面ファスナーが接着されている請求項１９〜２５いずれかに記載の梱包シート。
【発明の詳細な説明】
【０００１】
【発明が属する技術分野】
本発明は、物品の保管、搬送に用いられるプラスチック段ボール製の梱包容器、電子材料の梱包方法、梱包容器の回収方法及び梱包シートに関する。
【０００２】
【従来の技術】
物品の保管、運搬に用いられる組み立て及び展開可能な梱包容器としては、紙製の段ボール箱が広く用いられている。しかし、紙製の段ボール箱は、一度使用すると損傷や吸湿などで強度が低下して再使用不可能となり、段ボールゴミとなる。また、紙性の段ボール箱は、組み立て時や展開時に紙粉が発生し、異物の混入による影響の大きい物品、特に電子材料等の物品の保管、運搬には不適である。一方、プラスチック成形容器や金属製の容器は、紙粉等の異物の発生がなく、耐久性、耐湿性にも優れ繰り返し使用は可能ではあるが、重く、また、折り曲げ自在な折り目の形成が困難で、不使用時の減容率が極めて低い。
【０００３】
【発明が解決しようとする課題】
本発明の目的は、組み立て及び展開可能な梱包容器であって、耐久性に優れ、繰り返し使用可能であり、また、廃棄する場合にはマテリアルリサイクル性に優れる環境対応型の梱包容器を提供することにある。
【０００４】
【課題を解決するための手段】
本発明者らは、プラスチック段ボールの軽量性、耐衝撃性、折り目加工の容易性、廃棄後の再シート化、再資源化の容易性、及び組み立て、展開時に粉塵を発生しないことに着目した。その結果、本発明者らは、プラスチック段ボール材から、箱形状を形成する複数の面が折り目を介して接合されてなる１枚のシートを形成し、このシートを折り目で折って箱状に組み立てることにより、軽量で耐衝撃性に優れ、吸湿による劣化もなく、組み立て、展開を繰り返す繰り返し使用に耐えうる耐久性に優れる梱包容器が得られることを見出した。また、プラスチック段ボールは、落下衝撃吸収が大きく、内容品の破損の抑止力も大きいということも見出した。これらの知見に基づき、本発明者らは本発明を完成するに至った。
【０００５】
本発明は、方形の底板、底板の一対の対辺から各々直立する方形の前壁及び方形の後壁、及び、底板の他の一対の対辺から各々直立する方形の右壁及び方形の左壁からなる４つの壁、並びに、後壁の上辺から曲折して延出して前壁の上辺に至る方形の天板からなる梱包容器であって、内側に９０°まで折曲可能な複数の折り目を有するプラスチック段ボール製の１枚の梱包シートを各折り目で内側に折り曲げることにより組み立て可能で、かつ該梱包シートに展開可能な梱包容器を提供するものである。
【０００６】
また、本発明は、本発明の梱包容器を電子材料を梱包容器内に収容して組み立てることからなる電子材料の梱包方法を提供する。
また、本発明は、本発明の一態様の梱包容器、すなわち、梱包シートの折り目の少なくとも１つが背面に１８０°まで折曲可能である梱包容器を梱包シートに展開し、少なくとも１本の背面に１８０°まで曲折可能な折り目で梱包シートを背面に折り畳み、梱包シートの互いに当接する部分を面ファスナーで接合させて折り畳み状態を保持した状態で梱包容器を回収する梱包容器の回収方法を提供する。
【０００７】
また、本発明は、本発明の一態様の梱包容器、すなわち、前壁及び後壁が底板の一対の対辺から曲折して延出しており、右壁及び左壁が底板の他の一対の対辺から曲折して延出しており、天板の前端辺から曲折して延出して前壁外面に当接する前面フラップ、並びに、天板の前端辺に隣接する２辺から各々曲折して延出してそれぞれ右壁の外面及び左壁の外面に当接する右フラップ及び左フラップを有し、前面フラップと前壁とを前面フラップ内面及び前壁外面に接着した１対の面ファスナーで接合し、右フラップと右壁とを右フラップ内面及び右壁外面に接着した１対の面ファスナーで接合し、左フラップと左壁とを左フラップ内面及び左壁外面に接着した１対の面ファスナーで接合するものであり、天板から前面フラップが曲折して延出している折り目、及び、底板から後壁が曲折して延出している折り目が、背面に１８０°まで曲折可能な折り目である梱包容器を回収する方法を提供する。この方法は、上記梱包容器を梱包シートに展開し、天板と前フラップとの間の折り目、及び、底板と後壁との間の折り目を背面に１８０°曲折させて折り畳み、前フラップに接着した前記面ファスナーと前壁に接着した前記面ファスナーとを接合させて折り畳み状態を保持した状態で梱包容器を回収することからなる。
【０００８】
また、本発明は、本発明の好ましい態様の梱包容器の組み立てに好適に用いられる梱包シートを提供するものである。すなわち、本発明は、方形の底板、底板の一対の対辺から各々直立する方形の前壁及び方形の後壁、及び、底板の他の一対の対辺から各々直立する方形の右壁及び方形の左壁からなる４つの壁、対向する２つの壁の各直立辺から各々曲折して延出し、隣接する壁の内面に当接する４つの内部フラップ、後壁の上辺から曲折して延出して前壁の上辺に至る方形の天板、天板の前端辺から垂下して前壁外面に当接する前面フラップ、並びに、天板の前端辺に隣接する２辺から各々垂下してそれぞれ右壁の外面及び左壁の外面に当接する右フラップ及び左フラップからなる梱包容器に組み立て可能であり、かつ、梱包容器からシート状に展開可能なプラスチック段ボール製の梱包シートであって、下記の面が内側に９０°まで折曲可能な折り目を介して一体に連接されている梱包シートを提供する：
（Ａ）底板となる方形の底板面；
（Ｂ）一辺Ｂ１が折り目Ｘ１を介して底板面の一辺Ａ１と接合しており、前壁となる方形の前壁面；
（Ｃ）一辺Ｃ１が折り目Ｘ２を介して底板面の辺Ａ１の対辺Ａ２と接合しており、後壁となる方形の後壁面；
（Ｄ）一辺Ｄ１が折り目Ｘ３を介して底板面の辺Ａ１の隣接辺Ａ３と接合しており、右壁となる方形の右壁面；
（Ｅ）一辺Ｅ１が折り目Ｘ４を介して底板面の辺Ａ１の他の隣接辺Ａ４と接合しており、左壁となる方形の左壁面；
（Ｆａ、Ｆｂ、Ｆｃ、Ｆｄ）前壁面及び後壁面の各々の、又は、右壁面及び左壁面の各々の、底板面の辺と接合していない一対の対辺から、それぞれ折り目を介して延出しており、それぞれが内部フラップとなる４つの内部フラップ面；
（Ｇ）一辺Ｇ１が折り目Ｘ５を介して後壁面の辺Ｃ１の対辺Ｃ２と接合しており、天板となる方形の天板面；
（Ｈ）一辺Ｈ１が折り目Ｘ６を介して天板面の辺Ｇ１の対辺Ｇ２と接合しており、前面フラップとなる前面フラップ面；
（Ｉ）一辺Ｉ１が折り目Ｘ７を介して天板面の辺Ｇ１の隣接辺Ｇ３と接合しており、右フラップとなる右フラップ面；及び
（Ｊ）一辺Ｊ１が折り目Ｘ８を介して天板面の辺Ｇ１の他の隣接辺Ｇ４と接合しており、左フラップとなる左フラップ面。
【０００９】
【発明の実施の態様】
本発明において、梱包シートの折り目の少なくとも１つを、背面に１８０°まで曲折可能とすると、梱包容器を梱包シートに展開した後、梱包シートを折り畳んだ状態とすることができ、薄く減容化し搬送に便利である。
【００１０】
内側に９０°曲折可能な折り目は、例えば、プラスチック段ボール製の梱包シートに９０°に開いたＶ字断面を有する溝を形成することにより、形成することができる。このような溝を折り目として曲折することにより、安定した９０°までの曲折が可能となる。溝は、切削により形成することもできるが、梱包シートに加熱刃を押し当て溶融成形することにより、繰り返しの曲折に耐える折り目を形成することができる。図１に示す本発明の梱包シートの一態様における折り目Ｘ５及びＸ８の形成方法の例を、説明する。図６は、図１のＷ−Ｗの拡大断面図であり、２枚のライナー５１ａ、５１ｂの間に複数の中芯５１ｃで仕切られた空隙５１ｄを多数連接したプラスチック段ボール製の梱包シートの上面に、頂角が９０°のＶ字先端を有する加熱刃５２を押し当てることにより、プラスチック段ボールが溶融して９０°に開いたＶ字断面を有する溝が形成され、９０°内側に曲折可能な折り目Ｘ８を構成している。この場合、溝は下面のライナー５１ｂに達してないため、折り目Ｘ８は内側には９０°曲折可能であるが、裏面側には曲折しにくく、展開した梱包シートをこの折り目部分では平坦に保たれやすい。図７は、図１のＺ−Ｚの拡大断面図であり、梱包シートの上面に加熱刃５２を下面のライナー５１ｂに達するまで押し当てることにより、深い折れ目Ｘ５が形成されている。このようにすることにより、深い折れ目Ｘ５は内側に９０°まで曲折可能であり（図８（ａ））、裏面にも１８０°曲折可能となる（図８（ｂ））。溝の右壁と下面のライナー５１ｂとの角度、及び、溝の左壁と下面のライナー５１ｂとの角度は、いずれも４５°であることが好ましい。
【００１１】
底板の内面には、底板に当接した状態から９０°まで曲折可能な折り目を介して９０°の角度まで折り立て可能で、折り立てた状態から底板に当接した状態に折り畳み可能な中仕切り強化板を設けることが好ましい。中仕切り強化板は、折り立てた状態の高さが壁の高さと同じ高さとなる方形であることが好ましく、また、分別せずにリサイクル可能なように、プラスチック段ボール製であることが好ましい。梱包容器内で中仕切り強化板を折り立てることにより、天板と底板間にかかる荷重に対する強度が向上する。また、中仕切り強化板の幅を、対向する２つの壁に達する幅とすることにより、２つの壁間にかかる応力に対する強度を向上させることもできる。梱包容器や内容物のサイズに応じ、複数の中仕切り板を設けてもよい。
【００１２】
本発明の梱包容器は、対向する２つの壁の各直立辺から各々曲折して延出し、隣接する壁の内面に当接する４つの内部フラップを有することが好ましい。また、内部フラップは、対向する２つの壁の各直立辺から、９０°まで曲折可能な折り目を介して曲折して延出していることが好ましい。このような内部フラップを壁の内面に当接させることにより、荷重に対する強度が更に向上する。内部フラップの延出長さには特に制限はないが、対向する２つの壁の全面に内部フラップが当接するようにすると、他の対向する２つの壁間にかかる荷重に対する強度も向上させることができ、好ましい。
【００１３】
梱包容器の組み立ての容易性の観点から、前壁及び後壁底板の一対の対辺から曲折して延出しており、右壁及び左壁が底板の他の一対の対辺から曲折して延出していることが好ましい。
【００１４】
また、本発明の梱包容器は、天板の前端辺から曲折して延出して前壁外面に当接する前面フラップ、並びに、天板の前端辺に隣接する２辺から各々曲折して延出してそれぞれ右壁の外面及び左壁の外面に当接する右フラップ及び左フラップを有することが好ましい。これらのフラップを設けることにより、様々な方向からの荷重に対する強度が更に向上する。荷重に対する強度の向上の観点からは、これらフラップの延出長さは、各々が当接する壁の外面の高さと同じ長さとすることが好ましい。
【００１５】
本発明の梱包容器は、ひもやテープなどの包装用の副資材を用いて容器形状を固定してもよいが、互いに当接する壁とフラップ面とを、壁及びフラップ面に接着した面ファスナー、例えば、片面に複数のフックを有するテープと片面に複数のループを有するテープからなるマジックテープ（Ｒ）で接合することにより固定することが好ましい。面ファスナーを用いることにより、組み立て時に余分な包装用資材を必要とすることがなく、また、展開時にそれらの副資材をごみとして廃棄する必要もなくなる。また、プラスチック製の面ファスナーを用いることにより、梱包容器の廃棄、リサイクル処理時に、材料を分別することなく、一括してリサイクル処理することが可能となる。
【００１６】
例えば、前面フラップと前壁とを前面フラップ内面及び前壁外面に接着した１対の面ファスナーで接合し、右フラップと右壁とを右フラップ内面及び右壁外面に接着した１対の面ファスナーで接合し、左フラップと左壁とを左フラップ内面及び左壁外面に接着した１対の面ファスナーで接合する。また、更に、互いに当接する内部フラップと壁とを面ファスナーで接合すると、梱包容器の組み立てが容易となる。ここで、面ファスナーを用いて接合を行なう場合、接合される面同士は、面ファスナーを介して当接することになる。
面ファスナー以外の固定方法としては、ホック接合、粘着テープ接合、嵌合部材接合、ホッチキス接合、ボタンかけなどが挙げられる。
【００１７】
本発明の梱包容器を回収する場合、梱包容器を梱包シートに展開し、少なくとも１本の背面に１８０°まで曲折可能な折り目で梱包シートを背面に折り畳み、梱包シートの互いに当接する部分を面ファスナーで接合させて折り畳み状態を保持した状態で梱包容器を回収すると、減容された状態を固定した状態で搬送することができ、好ましい。梱包容器の容器形状の固定のために接着されている面ファスナーを、折り畳み状態を固定するための面ファスナーとして用いることもできる。例えば、上記の面ファスナーの梱包容器形状を固定する態様の梱包容器においては、天板から前面フラップが曲折して延出している折り目、及び、底板から後壁が曲折して延出している折り目の少なくとも２本の折り目を、背面に１８０°まで曲折可能な折り目とすることにより、梱包シートに展開し、折り畳んで回収することが容易となり、好ましい。すなわち、このような梱包容器は、梱包シートに展開し、展開した梱包容器を天板と前フラップとの間の折り目で１８０°まで背面に折り畳み、底板と後壁との間の折り目で背面に１８０°近くまで折り畳み、前フラップに接着した前記面ファスナーと前壁に接着した前記面ファスナーとを接合させることにより、ヒモ等を用いずに折り畳み状態を保持した状態で回収することができる。
【００１８】
梱包容器の持ち運びを容易にするために、右壁及び左壁各々の外面に、凸部と、凸部に隣接する凹部からなる把手部を設け、右フラップ及び左フラップに把手部を露出させる窓をあけることが好ましい。この場合、把手部の凸部の突出長さを、凸部先端が各フラップの窓から突出しない長さとすることにより、梱包容器の右側面及び左側面をフラットに保つことができ、表面に凹凸のないすべりのよい容器とすることができる。リサイクルを容易にするためには、凸部と凸部に隣接する凹部を有する薄板状プラスチック成形部材を右及び左フラップに取り付けて把手部とすることが好ましい。
【００１９】
本発明の梱包容器は、種々の物品の梱包、運搬に用いられ、収容物に特に制限はない。しかし、紙粉等の粉塵を発生せず、吸湿性が極めて低く、耐衝撃性にも優れることから、特に電子材料、中でも、感光性フィルム、液晶下地用フィルム、銀フィルム、接着フィルム、異方導電性フィルム等の電子材両用フィルムのロール上物の梱包に好適に用いられる。
【００２０】
本発明の梱包シートは、本発明の梱包容器の組み立てに好適に用いられる。
図３は、本発明の梱包シートの１態様を示す上面図である。底板となる方形の底板面（Ａ）の一辺Ａ１に、前壁となる方形の前壁面（Ｂ）の一辺Ｂ１が折り目Ｘ１を介して底板面と接合している。底板面（Ａ）の辺Ａ１の対辺Ａ２には、後壁となる方形の後壁面（Ｃ）の一辺Ｃ１が折り目Ｘ２を介して接合している。底板面（Ａ）の辺Ａ１の隣接辺Ａ３には、右壁となる方形の右壁面（Ｄ）の一辺Ｄ１が折り目Ｘ３を介して接合している。底板面（Ａ）の辺Ａ１の他の隣接辺Ａ４には、左壁となる方形の左壁面（Ｅ）の一辺Ｅ１が折り目Ｘ４を介して接合している。前壁面（Ｂ）の辺Ｂ２及びＢ３並びに後壁面（Ｃ）の辺Ｃ３及びＣ４から、各々折り目Ｘ９、Ｘ１０、Ｘ１１及びＸ１２を介して、内部フラップとなる４つの内部フラップ面（Ｆａ１）、（Ｆｂ１）、（Ｆｃ１）及び（Ｆｄ１）が延出している。後壁面（Ｃ）の辺Ｃ１の対辺Ｃ２には、天板となる方形の天板面（Ｇ）の一辺Ｇ１が折り目Ｘ５を介して接合している。天板面（Ｇ）の辺Ｇ１の対辺Ｇ２には、前面フラップとなる前面フラップ面（Ｈ）の一辺Ｈ１が折り目Ｘ６を介して接合している。天板面（Ｇ）の辺Ｇ１の隣接辺Ｇ３には、右フラップとなる右フラップ面（Ｉ）の一辺Ｉ１が折り目Ｘ７を介して接合している。天板面（Ｇ）の辺Ｇ１の他の隣接辺Ｇ４には、左フラップとなる左フラップ面（Ｊ）の一辺Ｊ１が折り目Ｘ８を介して接合している。
【００２１】
本発明の梱包シートは、底板面に、底板面に当接した状態から９０°まで曲折可能な折り目を介して９０°の角度まで折り立て可能で、折り立てた状態から底板面に当接した状態に折り畳み可能なプラスチック段ボール製の中仕切り強化板を有することが好ましい。
梱包シートに形成されている各折り目は、梱包シートに加熱刃を押し当てることにより溶融成形されたＶ字断面を有する溝であることが好ましい。また、少なくとも１本の折り目が背面に１８０°曲折可能であることが好ましい。
【００２２】
各内部フラップ面は、方形であることが好ましい。
右壁面及び左壁面には、それぞれの裏面に、凸部と、凸部に隣接する凹部からなる把手部が設けられていることが好ましい。
右フラップ面の辺Ｉ１とその対辺との間の幅は、梱包シートを梱包容器に組み立てたときに右フラップの下辺が右壁の外面下辺に達するような幅であることが好ましく、また、左フラップ面の辺Ｊ１とその対辺との間の幅は、梱包シートを梱包容器に組み立てたときに左フラップの下辺が左壁の外面下辺に達するような幅であることが好ましい。
【００２３】
右壁面及び左壁面に把手部を設けた場合、右フラップ面及び左フラップ面のそれぞれに、梱包シートを梱包容器に組み立てた状態で、右壁外面の把手部及び左壁外面の把手部を露出させる窓をあけておく。右及び左フラップ面裏面からの把手部の凸部の突出幅を梱包シートの厚み以下とすることにより、把手部が窓から突出することがなく、表面が平坦でかつ滑りのよい側面を有する梱包容器を形成することができる。
【００２４】
前面フラップ面上面及び前壁面裏面に前面フラップと前壁とを接合するための１対の面ファスナーが接着されており、右フラップ面上面及び右壁面裏面に右フラップと右壁とを接合するための１対の面ファスナーが接着されており、左フラップ面上面及び左壁面裏面に左フラップと左壁とを接合するための１対の面ファスナーが接着されていることが好ましい。また、各内部フラップ面裏面と、梱包容器に組み立てた状態で各内部フラップ面裏面が当接することになる壁面上面とに、各々一対の面ファスナーを接着することが好ましい。
【００２５】
【実施例】
実施例１
図２は、本実施例の梱包容器１の斜視図であり、図３は、図２の梱包容器１の天板を、全面フラップ、右フラップ及び左フラップとともに開いた状態を示す斜視図である。方形の底板（図示せず）の一対の対辺から、方形の前壁２及び方形の後壁３が直立しており、底板の他の一対の対辺から、方形の右壁４及び方形の左壁５が直立している。
前壁２の２つの直立片から、２枚の方形の内部フラップ７、８が曲折して延出し、それぞれ、隣接する右壁４及び左壁５の内面に当接している。後壁３の２つの直立片からも、２枚の方形の内部フラップ９、１０が曲折して延出し、それぞれ、隣接する右壁４及び左壁５の内面に当接している。底板中央からは、前壁２及び後壁３に平行な方形の中仕切り強化板１６が底板から９０°の角度まで折り立てられており、各壁の上辺の高さまで延びている。後壁３の上辺からは、前壁２の上辺に至る方形の天板６が曲折して延出している。天板６の前端辺から、方形の前面フラップ２１が垂下して、前壁２の外面に当接している。前面フラップ２１と前壁２とは、前面フラップ２１の内面に貼付けられたマジックテープ（Ｒ）（図示せず）と前壁２の外面に貼付けられた（Ｒ）３１ｂとにより接合される。天板６の前端辺に隣接する２辺から、方形の右フラップ２２及び方形の左フラップ２３が各々垂下して、それぞれ右壁４の外面及び左壁５の外面に当接している。右フラップ２２の下辺は、右壁４の外面の下辺まで延びており、右壁４の下部で、右壁４に接着されたマジックテープ（Ｒ）（図示せず）と右フラップ２２の内面に接着されたマジックテープ（Ｒ）３２ａとで接合されている。同様に、左フラップ２３の下辺は、左壁５の外面の下辺まで延びており、左壁５の下部で、左壁５に接着されたマジックテープ（Ｒ）３３ｂと左フラップ２３の内面に接着されたマジックテープ（Ｒ）（図示せず）とで接合されている。左壁５の外面中央には、凸部４３と凸部４３の下に隣接する凹部４２を有するプラスチック製の把手部４１が取り付けられている。把手部４１は、左壁５に当接する左フラップ２３中央の窓６２から露出しているが、凸部４２は、窓６２から突出していない。右壁４中央にも、同様の把手部（図示せず）が取り付けられており、右フラップ２２の窓６１から露出している。
【００２６】
図４に、本実施例の梱包容器１の組み立てに用いられるプラスチック段ボール製の梱包シートの展開上面図を示す。この梱包シートは、図１に示した梱包シートに１枚の中仕切り強化板、２つの把手部、２つの窓及び１２枚のマジックテープ（Ｒ）を取り付けたものである。底板面（Ａ）に、底板面（Ａ）に当接した状態から９０°まで曲折可能な折り目Ｘ１１を介して９０°まで折り立て可能で、折り立てた状態から底板面（Ａ）に当接した状態に折り畳み可能な、上記のプラスチック段ボール製の中仕切り強化板１６が取り付けられている。左フラップ面（Ｅ）には、裏面に凸部と凸部に隣接する凹部を有する薄板上の把手部４１が取り付けられており、右フラップ面Ｄの中央にも、同様の把手部４４が取り付けられている。右壁面（Ｄ）、左壁面（Ｅ）、前面フラップ面（Ｈ）、右フラップ面（Ｉ）及び左フラップ面（Ｊ）の上面には、それぞれ、マジックテープ（Ｒ）３４ａ、３５ａ、３１ａ、３２ａ及び３３ａが貼付けられている。前壁面（Ｂ）の裏面には、前面フラップ（Ｈ）上のマジックテープ（Ｒ）３１ａと対をなす３１ｂが貼付けられている。内部フラップ面（Ｆａ１）及び内部フラップ面（Ｆｃ１）の裏面には、それぞれ、右壁面（Ｄ）上のマジックテープ（Ｒ）３４ａと対をなすマジックテープ（Ｒ）３４ｂ及び３４ｃが貼付けられている。内部フラップ面（Ｆｂ１）及び内部フラップ面（Ｆｄ１）の裏面には、それぞれ、左壁面（Ｅ）上のマジックテープ（Ｒ）３５ａと対をなすマジックテープ（Ｒ）３５ｂ及び３５ｃが貼付けられている。右壁面（Ｄ）の裏面には、右フラップ面（Ｉ）上のマジックテープ（Ｒ）３２ａと対をなすマジックテープ（Ｒ）３２ｂが貼付けられており、左壁面（Ｅ）の裏面には、左フラップ面（Ｊ）上のマジックテープ（Ｒ）３３ａと対をなすマジックテープ（Ｒ）３３ｂが貼付けられている。
【００２７】
この梱包シートにおいて、折り目Ｘ３、Ｘ４、Ｘ７、Ｘ８、Ｘ９、Ｘ１０、Ｘ１１及びＸ１２は、図６に示すＶ字断面を有する溝であり、内側に９０°まで曲折可能である。折り目Ｘ１、Ｘ２、Ｘ５、Ｘ６及びＸ１３は、図７に示すＶ字断面を有する溝であり、内側に９０°まで曲折可能であり、かつ裏側にも１８０°まで曲折可能である。例えば、梱包容器を梱包シートに展開した後、図９に示すように梱包シートを折り目Ｘ６で背面に１８０°まで折り畳み、Ｘ２で背面に約１８０°折り畳むことにより、折り畳み時の面積が展開時の半分程度までに低減することができ、また、マジックテープ（Ｒ）３１ａとマジックテープ（Ｒ）３１ｂとで前面フラップ面（Ｈ）と前壁（Ｂ）とを接合することができ、折り畳み状態で運搬することが容易になる。
【００２８】
図４の梱包シートから図２の梱包容器への組み立ては、以下のようにして行なう。折り目Ｘ１で底板面（Ａ）から前壁面（Ｂ）を９０°起立させ、前壁２を形成する。折り目Ｘ９で前壁２から内部フラップ面（Ｆａ１）を内側に９０°折り込み、内部フラップ７とし、折り目Ｘ１０で前壁２から内部フラップ面（Ｆｂ１）を内側に９０°折り込み、内部フラップ８とする。折り目Ｘ２で底板面（Ａ）から後壁面（Ｃ）を９０°起立させ、後壁３を形成する。折り目Ｘ１１で後壁３から内部フラップ面（Ｆｃ１）を内側に９０°折り込み、内部フラップ９とし、折り目Ｘ１２で後壁３から内部フラップ面（Ｆｄ１）を内側に９０°折り込み、内部フラップ１０とする。折り目Ｘ３で底板面（Ａ）から右壁面（Ｄ）を９０°起立させ、右壁４を形成する。右壁４の内面と内部フラップ７及び９の外面とが当接し、マジックテープ（Ｒ）３４ａとマジックテープ（Ｒ）３４ｂ及び３４ｃとにより接合される。同様に、折り目Ｘ４で底板面（Ａ）から左壁面（Ｅ）を９０°起立させ、左壁５を形成する。左壁５の内面と内部フラップ８及び１０の外面とが当接し、マジックテープ（Ｒ）３５ａとマジックテープ（Ｒ）３５ｂ及び３５ｃとにより接合される。折り目Ｘ１３で底板面（Ａ）から中仕切り強化板１６を９０°起立させ、内容物を壁で囲われた空間内に収容する。折り目Ｘ５で後壁３から天板面（Ｇ）を９０°内側に倒し、天板６とする。折り目Ｘ６、Ｘ７及びＸ８で、天板６から前面フラップ面（Ｈ）、右フラップ面（Ｉ）及び左フラップ面（Ｊ）をそれぞれ下方に９０°倒し、前面フラップ２１、右フラップ２２及び左フラップ２３とする。前面フラップ２１の内面は前壁２の外面に当接し、マジックテープ（Ｒ）３１ａとマジックテープ（Ｒ）３１ｂにより接合され、右フラップ２２の内面は右壁４の外面に当接し、マジックテープ（Ｒ）３２ａとマジックテープ（Ｒ）３２ｂにより接合され、左フラップ２３の内面は左壁５の外面に当接し、マジックテープ（Ｒ）３３ａとマジックテープ（Ｒ）３３ｂにより接合される。把手部４１及び４４は、右フラップ２２及び左フラップ２３の窓６１及び６２から露出する。これで梱包容器の組み立てが完了する。
【００２９】
実施例２
図５は、本実施例の梱包シートの展開上面図である。実施例１の梱包シートとは、内部フラップ面の位置が異なっている。この梱包シートでは、右壁面（Ｄ）の辺Ｄ２及びＤ３並びに左壁面（Ｅ）の辺Ｅ２及びＥ３から、各々折り目Ｘ１４、Ｘ１５、Ｘ１６及びＸ１７を介して、内部フラップとなる４つの内部フラップ面（Ｆａ２）、（Ｆｂ２）、（Ｆｃ２）及び（Ｆｄ２）が延出している。マジックテープ（Ｒ）の位置も一部異なる。この梱包シートでは、右壁面（Ｄ）及び左壁面（Ｅ）の上面ではなく、後壁面（Ｃ）及び毎壁面（Ｂ）の上面に、それぞれ、マジックテープ（Ｒ）３６ａ及び３７ａが貼付けられている内面フラップ面（Ｆａ２）及び内面フラップ面（Ｆｃ２）の裏面には、それぞれ、後壁面（Ｃ）上のマジックテープ（Ｒ）３６ａと対をなすマジックテープ（Ｒ）３６ｂ及び３６ｃが貼付けられている。内面フラップ面（Ｆｂ２）及び内面フラップ面（Ｆｄ２）の裏面には、それぞれ、前壁面（Ｂ）上のマジックテープ（Ｒ）３７ａと対をなすマジックテープ（Ｒ）３７ｂ及び３７ｃが貼付けられている。
【００３０】
この梱包シートにおいては、折り目Ｘ３、Ｘ４、Ｘ７、Ｘ８、Ｘ１４、Ｘ１５、Ｘ１６及びＸ１７は、図６に示すＶ字断面を有する溝であり、内側に９０°まで曲折可能である。折り目Ｘ１、Ｘ２、Ｘ５、Ｘ６は、図７に示すＶ字断面を有する溝であり、内側に９０°まで曲折可能であり、かつ裏側にも１８０°まで曲折可能である。。例えば、梱包容器を梱包シートに展開した後、折り目Ｘ６で背面に１８０°まで折り畳み、Ｘ２、Ｘ１４及びＸ１６で背面に約１８０°折り畳むことにより、折り畳み時の面積が展開時の半分程度までに低減することができ、また、マジックテープ（Ｒ）３１ａとマジックテープ（Ｒ）３１ｂとで前面フラップ面（Ｈ）と前壁（Ｂ）とを接合することがでる。
【００３１】
本実施例の図５の梱包シートから梱包容器（図示せず）への組み立ては、以下のようにして行なう。折り目Ｘ３で底板面（Ａ）から右壁面（Ｄ）を９０°起立させ、右壁を形成する。折り目Ｘ１４で右壁から内部フラップ面（Ｆａ２）を内側に９０°折り込み、内部フラップａとし、折り目Ｘ１５で右壁から内部フラップ面（Ｆｂ２）を内側に９０°折り込み、内部フラップｂとする。折り目Ｘ４で底板面（Ａ）から左壁面（Ｅ）を９０°起立させ、左壁を形成する。折り目Ｘ１６で左壁から内部フラップ面（Ｆｃ２）を内側に９０°折り込み、内部フラップｃとし、折り目Ｘ１７で左壁から内部フラップ面（Ｆｄ２）を内側に９０°折り込み、内部フラップｄとする。折り目Ｘ２で底板面（Ａ）から後壁面（Ｃ）を９０°起立させ、後壁を形成する。後壁の内面と内部フラップａ及びｂの外面とが当接し、マジックテープ（Ｒ）３６ａとマジックテープ（Ｒ）３６ｂ及び３６ｃとにより接合される。同様に、折り目Ｘ１で底板面（Ａ）から前壁面（Ｂ）を９０°起立させ、前壁を形成する。前壁の内面と内部フラップｃ及びｄの外面とが当接し、マジックテープ（Ｒ）３７ａとマジックテープ（Ｒ）３７ｂ及び３７ｃとにより接合される。以下の組み立て手順は、実施例１と同様である。
【００３２】
【発明の効果】
本発明の梱包容器は、１枚のプラスチック段ボール製の梱包シートからの組み立て及び梱包シートへの展開が容易であり、また、従来のプラスチック製容器と比較して、不使用時の減容性に極めて優れる。また、本発明の梱包容器は、またプラスチック段ボール製であることから、組み立て、展開時に紙粉等の粉塵を発生せず、また、耐久性に優れ、多数回繰り返し使用することが可能であり、使用後の廃棄ごみの発生を著しく減少させることができる。また、耐荷重性にも優れ、落下衝撃強度も高く、内容物の破損を効果的に防ぐことができる。更に、プラスチック段ボールは、溶融再成形が可能であることから、本発明の梱包容器及び梱包シートは、マテリアルリサイクル性にも優れる。
【図面の簡単な説明】
【図１】本発明の一態様の梱包シートの上面図である。
【図２】本発明の一態様の梱包容器の斜視図である。
【図３】図２の梱包容器の天板を開けた状態を示す斜視図である。
【図４】図２の梱包容器の組み立てに用いられる本発明の一態様の梱包シートの上面図である。
【図５】本発明の更に他の態様の梱包シートの上面図である。
【図６】図１の梱包シートの折り目の断面を示す線Ｗ−Ｗに沿った拡大部分断面図である。
【図７】図１の梱包シートの他の折り目の断面を示す線Ｚ−Ｚに沿った拡大部分断面図である。
【図８】図７の折り目でプラスチック段ボールを折り曲げた状態を示す断面図である。
【図９】図２の梱包容器を図４の梱包シートに展開した後、折り畳んだ状態を示す上面図である。
【符号の説明】
１  梱包容器
２  前壁
３  後壁
４  右壁
５  左壁
６  天板
７、８、９、１０  内部フラップ
１６  中仕切り強化板
２１  前面フラップ
２２  右フラップ
２３  左フラップ
４１、４４  把手部
６１、６２  窓
Ａ  底板面
Ｂ  前壁面
Ｃ  後壁面
Ｄ  右壁面
Ｅ  左壁面
Ｆａ１、Ｆｂ１、Ｆｃ１、Ｆｄ１、Ｆａ２、Ｆｂ２、Ｆｃ２、Ｆｄ２  内部フラップ面
Ｇ  天板面
Ｈ  前面フラップ面
Ｉ  右フラップ面
Ｊ  左フラップ面
Ｘ１〜Ｘ１７  折り目
Ａ１〜Ａ４  底板面の辺
Ｂ１〜Ｂ３  前壁面の辺
Ｃ１〜Ｃ４  後壁面の辺
Ｄ１〜Ｄ３  右壁面の辺
Ｅ１〜Ｄ３  後壁面の辺
Ｇ１〜Ｇ４  天板面の辺
Ｈ１  前フラップ面の辺
Ｉ１  右フラップ面の辺
Ｊ１  左フラップ面の辺
【図１】
0004801851.tif 000002
【図２】
0004801851.tif 000003
【図３】
0004801851.tif 000004
【図４】
0004801851.tif 000005
【図５】
0004801851.tif 000006
【図６】
0004801851.tif 000007
【図７】
0004801851.tif 000008
【図８】
0004801851.tif 000009
【図９】
0004801851.tif 000010